(57)【要約】【課題】  足場板上で物品や人を移動させるときに、フックが邪魔にならないようにする。【解決手段】  一対のポール11、12に渡されたビーム13〜15を挟んでその両側に一対の足場板21、22を同一レベルとなるように配置する。両足場板21、22の対向端部に、ビーム13〜15に上側からそれぞれ掛け止められたフック41〜44をそれぞれ設ける。足場板21、22の上面レベルよりも両フック41〜44の上端を低レベルとする。【選択図】  図４
2006009398.tif 000002
【特許請求の範囲】
【請求項１】
足場板の端部に、フックがその開口を下に向けるように設けられ、足場板の上面レベルよりもフックの上端が低レベルとなされている作業台。
【請求項２】
一対のポールに渡されたビームを挟んでその両側に一対の足場板が同一レベルとなるように配置されており、両足場板の対向端部に、ビームに上側からそれぞれ掛け止められたフックがそれぞれ設けられており、足場板の上面レベルよりも両フックの上端が低レベルとなされている作業台。
【発明の詳細な説明】
【技術分野】
【０００１】
この発明は、高所作業や、イベント等においてスピーカ等の音響機器を載せるために用いられる作業台に関する。
【背景技術】
【０００２】
この種の作業台としては、一対のポールに渡されたビームを挟んでその両側に一対の足場板が同一レベルとなるように配置されており、両足場板の対向端部に、ビームに上側からそれぞれ掛け止められたフックがそれぞれ設けられており、足場板の上面レベルよりも両フックの上端が高レベルとなされているものが知られている（例えば、特許文献１参照。）。
【０００３】
上記作業台では、一方の足場板の上に載せた物品を他方の足場板の上まで足場板上を滑らせながら移動させようとするときに、フックに物品が当たってしまい、スムースに移動させられないという問題点があった。また、人が移動しようとするときも、フックに足が引っ掛かり、危険であった。
【特許文献１】特開２００２−１７４０２６号公報
【発明の開示】
【発明が解決しようとする課題】
【０００４】
この発明の目的は、足場板上で物品や人を移動させるときに、フックが邪魔にならず、スムースに移動させることのできる足場板を提供することにある。
【課題を解決するための手段】
【０００５】
この発明による作業台は、足場板の端部に、フックがその開口を下に向けるように設けられ、足場板の上面レベルよりもフックの上端が低レベルとなされているものである。
【０００６】
この発明による作業台では、足場板上で物品や人を移動させるときに、フックが邪魔にならない。したがって、足場板上で物品等をスムースに移動させることができる。
【０００７】
この発明による他の作業台は、一対のポールに渡されたビームを挟んでその両側に一対の足場板が同一レベルとなるように配置されており、両足場板の対向端部に、ビームに上側からそれぞれ掛け止められたフックがそれぞれ設けられており、足場板の上面レベルよりも両フックの上端が低レベルとなされているものである。
【発明の効果】
【０００８】
この発明によれば、足場板上で物品や人を移動させるときに、フックが邪魔にならず、スムースに移動させることができる。
【発明を実施するための最良の形態】
【０００９】
この発明の実施の形態を図面を参照しながらつぎに説明する。
【００１０】
図１を参照すると、作業台は、左右方向に等間隔で並んでいる３つの前ポール11と、これの後方に前ポール11と同じように並んでいる３つの後ポール12と、３つずつの前ポール11および後ポール12の左右対応するもの同士の上端に渡されている前後方向にのびた３つの左、中および右ビーム13、14、15とを備えている。
【００１１】
ポール11、12の高さの中程を同ビーム13、14、15と同じように３つのビームがのびているが、その説明は省略する。これらのポール11、12およびビーム13、14、15は、アルミニウム製である。
【００１２】
前ポール11および後ポール12の下端にはキャスター16がそれぞれ取付られている。前ポール11の隣り合う物同士にはＸブレス17が張り渡されている。後ポール12にも図示しないブレスが張られている。さらに、前後のポール11、12にもブレスが張られている。これらのブレスは、アルミニウム製である。
【００１３】
左ビーム13および中ビーム14には２つの左足場板21が同一レベルとなるように前後に並んで掛け止められている。中ビーム14および右ビーム15には２つの右足場板22が同じように掛け止められている。
【００１４】
全ての足場板21、22は、同一構造のものである。各足場板21、22は、左右に長い方形状のものであって、足場板の前後両縁部にそってそれぞれのびた前および後縦材31、32と、両縦材31、32に一定間隔をおいて渡し止められた複数の横材33と、縦材31、32および横材33上面に張り渡された表面板34とよりなる。縦材31、32、横材33および表面板34は、アルミニウム製である。表面板34には図示しない滑り止めが施されている。
【００１５】
前縦材31の左端部前側面には第１フック41が左方突出状に取付られている。後縦材32の左端部前側面には第２フック42が左方突出状に取付られている。前縦材31の右端部後側面には第３フック43が右方突出状に取付られている。後縦材32の右端部後側面には第４フック44が右方突出状に取付られている。
【００１６】
ここで、図２に示す中ビーム14およびその周辺部に注目すると、中ビーム14を挟んでその左右両側には左足場板21および右足場板22が配置されている。左足場板21の第３フック43と右足場板22の第１フック41は前後方向にずれている。同じように、左足場板21の第４フック44と右足場板22の第２フック42は前後方向にずれている。そのずれ量は、前縦材31および後縦材32の前後方向の厚みに相当する。
【００１７】
図４に、左足場板21の第４フック44および右足場板22の第２フック42の詳細構造を示している。第４フック44および第２フック42は、左右の向きは異にするが、同一構造のものである。第２フック42について詳細に説明すると、第２フック42は、中ビーム14に上側から掛け止められた下向きの開口を有するＣ字状フック本体51と、フック本体51の右端部に連なってこれより右向きにのびた方形状ハンドル52とを備えている。フック本体51の開口右縁部にはロック部材53が備えられている。ハンドル52を２つのボルト54が貫通させられて後縦材32にねじ込まれることにより、後縦材32への第２フック42の取付が果たされている。
【００１８】
フック本体51の上端には水平平坦部61が設けられている。左足場板21の上面レベルよりも平坦部の上面は、低レベルとなされている。そのレベル差ｈは、例えば、１６ｍｍであり、これは、左足場板21の上下方向の厚みＨの略１／４となっている。
【図面の簡単な説明】
【００１９】
【図１】この発明による作業台の正面図である。
【図２】同作業台の平面図である。
【図３】図２のII−II線にそう断面図である。
【図４】図２のIV−IV線にそう断面図である。
【符号の説明】
【００２０】
11、12  ポール
13、14、15  ビーム
21、22  足場板
41〜44  フック
【図１】
2006009398.tif 000003
【図２】
2006009398.tif 000004
【図３】
2006009398.tif 000005
【図４】
2006009398.tif 000006